(57)【要約】【課題】デッドスペースの有効利用を図りつつ、蓄電池の発生熱を有効利用することができる建物用蓄電システムを得る。【解決手段】ユニットバス２４は浴槽２６及び洗い場２８を含んで構成されており、固定フレーム３０がユニットバス固定フレーム３４を介して架台フレーム３２に固定されている。ユニットバス固定フレーム３４が配設された部分はユニットバス床下デッドスペース３８とされており、蓄電池ユニット４０は隣り合う架台フレーム３２間に納められている。蓄電池ユニット４０で発生した排熱は、洗い場２８の床３６を暖めるために利用されるようになっている。【選択図】図１
2010140753.tif 000002
【特許請求の範囲】
【請求項１】
建物内のデッドスペースに設置され、受電することにより蓄電する蓄電池を備えた蓄電池ユニットと、
この蓄電池ユニットで発生した排熱を建物内の所定箇所に供給する排熱供給手段と、
を備えた建物用蓄電システム。
【請求項２】
前記蓄電池ユニットは、
前記蓄電池と、
この蓄電池を覆うと共に蓄電池が被水するのを防止する防水手段と、
この防水手段に設けられた除湿手段と、
前記防水手段に設けられると共に前記排熱供給手段の一部を構成し、換気作用により、防水手段内で蓄電池から発生した排熱を前記所定箇所へ直接供給し又は前記排熱供給手段が備える排熱伝達路を介して前記所定箇所へ供給する換気手段と、
を含んで構成されている、
ことを特徴とする請求項１記載の建物用蓄電システム。
【請求項３】
前記蓄電池ユニットはユニットバスに備えられえており、
かつ前記換気手段によって供給された排熱はユニットバス又は給湯器に利用される、
ことを特徴とする請求項２記載の建物用蓄電システム。
【請求項４】
前記蓄電池ユニットはキッチンのシンク下方に備えられており、
かつ前記換気手段によって供給された排熱はキッチンで利用される、
ことを特徴とする請求項２記載の建物用蓄電システム。
【請求項５】
前記蓄電池ユニットは建物内に設けられた全館空調システムの給気口付近に備えられており、
かつ前記換気手段によって供給された排熱は暖気の生成に利用される、
ことを特徴とする請求項２記載の建物用蓄電システム。
【発明の詳細な説明】
【技術分野】
【０００１】
本発明は、建物用蓄電システムに関する。
【背景技術】
【０００２】
下記特許文献１には、建物用の電力蓄蔵システムにおいて、蓄電池を建物の床下スペースの台座に載置し、基礎通気口から当該蓄電池を出し入れ可能に構成した技術が開示されている。また別の構成として、床に開口部を設け、開口部から蓄電池を出し入れ可能にした技術が開示されている。なお、換気は基礎開口部を利用して行うようになっている。
【特許文献１】特開２０００−３２３１１３号公報
【発明の開示】
【発明が解決しようとする課題】
【０００３】
しかしながら、上記特許文献１に開示された先行技術による場合、蓄電池の収納スペースを床下に見出すに止まっており、蓄電池が蓄電する際に発生する熱の有効利用については何ら考慮されていない。従って、上記先行技術は、この観点から、改良の余地がある。
【０００４】
本発明は上記事実を考慮し、デッドスペースの有効利用を図りつつ、蓄電池の発生熱を有効利用することができる建物用蓄電システムを得ることが目的である。
【課題を解決するための手段】
【０００５】
請求項１の発明に係る建物用蓄電システムは、建物内のデッドスペースに設置され、受電することにより蓄電する蓄電池を備えた蓄電池ユニットと、この蓄電池ユニットで発生した排熱を建物内の所定箇所に供給する排熱供給手段と、を備えている。
【０００６】
請求項２の発明に係る建物用蓄電システムは、請求項１記載の発明において、前記蓄電池ユニットは、前記蓄電池と、この蓄電池を覆うと共に蓄電池が被水するのを防止する防水手段と、この防水手段に設けられた除湿手段と、前記防水手段に設けられると共に前記排熱供給手段の一部を構成し、換気作用により、防水手段内で蓄電池から発生した排熱を前記所定箇所へ直接供給し又は前記排熱供給手段が備える排熱伝達路を介して前記所定箇所へ供給する換気手段と、を含んで構成されている、ことを特徴としている。
【０００７】
請求項３の発明に係る建物用蓄電システムは、請求項２記載の発明において、前記蓄電池ユニットはユニットバスに備えられえており、かつ前記換気手段によって供給された排熱はユニットバス又は給湯器に利用される、ことを特徴としている。
【０００８】
請求項４の発明に係る建物用蓄電システムは、請求項２記載の発明において、前記蓄電池ユニットはキッチンのシンク下方に備えられており、かつ前記換気手段によって供給された排熱はキッチンで利用される、ことを特徴としている。
【０００９】
請求項５の発明に係る建物用蓄電システムは、請求項２記載の発明において、前記蓄電池ユニットは建物内に設けられた全館空調システムの給気口付近に備えられており、かつ前記換気手段によって供給された排熱は暖気の生成に利用される、ことを特徴としている。
【００１０】
請求項１記載の本発明によれば、建物内のデッドスペースには蓄電池ユニットが設置されている。蓄電池ユニットは蓄電池を備えており、受電することにより蓄電池に電気が蓄えられる。これにより、建物内のデッドスペースを有効に利用することができる。
【００１１】
ここで、一般に蓄電池が蓄電した際に発生する熱は排熱として捨てられるが、本発明では排熱供給手段を備えているため、当該排熱を建物内の所定箇所に供給することができる。
【００１２】
請求項２記載の本発明によれば、蓄電池ユニットが備えている蓄電池は、防水手段によって覆われている。このため、蓄電池が被水することはない。また、防水手段には除湿手段が設けられているため、結露等が生じるのを抑制又は防止することができる。さらに、防水手段には換気手段が設けられているため、換気作用により、蓄電池から発生した排熱は、建物の所定箇所へ直接供給されるか、又は排熱供給手段が備える排熱伝達路を介して建物の所定箇所へ供給される。
【００１３】
このように本発明によれば、蓄電池の蓄電性能を良好に維持しつつ、蓄電池で発生する排熱を有効に活用するための仕組みが、一つの蓄電池ユニットとしてコンパクトに形成される。
【００１４】
請求項３記載の本発明によれば、蓄電池ユニットはユニットバスに備えられえている。従来、ユニットバスの周囲のスペースはデッドスペースとして存在していたので、建物のデッドスペースの有効利用が図られる。
【００１５】
また、換気手段によって供給された排熱はユニットバス又は給湯器に利用されるので、排熱発生源（蓄電池）から遠い位置まで排熱を運ぶ必要がない。従って、熱損失が少なくて済む。
【００１６】
請求項４記載の本発明によれば、蓄電池ユニットはキッチンのシンク下方に備えられている。従来、シンク下方のスペースはデッドスペースとして存在することが多かったので、従来のデッドスペースの有効利用が図られる。
【００１７】
また、換気手段によって供給された排熱はキッチンで利用されるので、排熱発生源（蓄電池）から遠い位置まで排熱を運ぶ必要がない。従って、熱損失が少なくて済む。
【００１８】
請求項５記載の本発明によれば、蓄電池ユニットは建物内に設けられた全館空調システムの給気口付近に設けられている。このため、蓄電池から発生した排熱を給気口からそのまま空調経路に導入することができる。従って、蓄電池から発生した排熱の熱損失が極力ない状態で、暖気の生成に利用することができる。その結果、蓄電池の排熱から供給される熱量に相当する分、全館空調システムを稼動させるために本来要求される負荷が軽減される。
【発明の効果】
【００１９】
以上説明したように、請求項１記載の建物用蓄電システムは、スペースの有効利用を図りつつ、蓄電池の発生熱を有効利用することができるという優れた効果を有する。
【００２０】
請求項２記載の本発明に係る建物用蓄電システムは、蓄電池の蓄電性能を良好に維持しつつ、蓄電池で発生する排熱を有効利用することができ、しかもコンパクト化を図ることができるという優れた効果を有する。
【００２１】
請求項３記載の本発明に係る建物用蓄電システムは、ユニットバスのスペース利用効率を上げると共に、熱損失を少なくして排熱利用効率を上げることができるという優れた効果を有する。
【００２２】
請求項４記載の本発明に係る建物用蓄電システムは、キッチンのスペース利用効率を上げると共に、熱損失を少なくして排熱利用効率を上げることができるという優れた効果を有する。
【００２３】
請求項５記載の本発明に係る建物用蓄電システムは、全館空調システムの熱源に対する負荷を軽減し、省エネ化を促進することができるという優れた効果を有する。
【発明を実施するための最良の形態】
【００２４】
〔第１実施形態〕
まず、図１〜図６を用いて、本発明に係る建物用蓄電システムの第１実施形態について説明する。
【００２５】
（全体構成）
図２には、本実施形態に係る建物用蓄電システム５０が適用されたユニット住宅１０の概略正面図が示されている。この図に示されるように、ユニット住宅１０は、基礎１４上に複数個の箱型等の建物ユニット１６を据え付けることにより構成された一階部分１８と、当該一階部分１８の上に複数の箱型等の建物ユニット１６を据え付けることにより構成された二階部分２０と、二階部分２０の上に据え付けられた屋根部分２２と、を含んで構成されている。
【００２６】
上記ユニット住宅１０の一階部分１８の所定の建物ユニット１６（ここでは、図２の斜線を付した建物ユニット）には、ユニットバス２４が予め工場内で据付けられている。図１に示されるように、ユニットバス２４は、浴槽２６と、この浴槽２６に隣接して設けられた洗い場２８と、を含んで構成されている。また、ユニットバス２４の下端部には、ユニットバス据付用の固定フレーム３０が設けられている。さらに、固定フレーム３０の下方には、複数本の架台フレーム３２が所定の間隔で配設されている。各架台フレーム３２にはユニットバス固定フレーム３４がそれぞれ固定されており、ユニットバス２４はその下端部に配置された固定フレーム３０がユニットバス固定フレーム３４を介して架台フレーム３２に固定されるようになっている。
【００２７】
なお、図１において、基準線Ｐ１はユニットバス据付面を表しており、基準線Ｐ２は建物ユニット１６の床フレームの下端レベルを表している。また、基準線Ｐ３は架台フレーム３２の上端レベルを表しており、基準線Ｐ４は洗い場２８の床３６の床レベルを表している。
【００２８】
（要部構成）
ここで、上述したユニットバス２４の下方側には、ユニットバス床下デッドスペース３８が設けられている。このユニットバス床下デッドスペース３８には、複数個の蓄電池ユニット４０が収容されている。各蓄電池ユニット４０は略直方体形状をしており、隣り合うユニットバス固定フレーム３４の間に挿入された状態で、図示しないブラケットを介して架台フレーム３２に取り付けられている。
【００２９】
上記の如くして、全ての蓄電池ユニット４０がユニットバス固定フレーム３４間に収容された状態では、蓄電池ユニット４０の上面側及び下面側に隙間４２がそれぞれ形成されている。これらの隙間４２からユニットバス床下デッドスペース３８全体の換気がなされるようになっている（なお、図１の矢印Ｗが排気口への空気の流れを表している。）。
【００３０】
なお、上記構成では、ユニットバス床下デッドスペース３８に蓄電池ユニット４０を収容する構成を採ったが、これに限らず、浴槽２６の側方にある浴槽横デッドスペース４４に蓄電池ユニット４０を収容してもよい。
【００３１】
次に、蓄電池ユニット４０の構成について説明する。図３（Ａ）に示されるように、各蓄電池ユニット４０は、蓄電池５２と、この蓄電池５２を覆うと共に蓄電池５２が被水するのを防止する防水手段としての箱体状の防水ケース８０と、この防水ケース８０の一方の側部に設けられた換気手段及び除湿手段としての給気口８２と、防水ケース８０の反対側の側部に設けられた換気手段及び除湿手段としての換気及び除湿ファン８４と、を含んで構成されている。なお、これらの給気口８２、換気及び除湿ファン８２は、本発明における「排熱供給手段」でもある。
【００３２】
蓄電池５２としては、例えば、鉛蓄電池、ニッケル水素蓄電池、リチウムイオン蓄電池といった蓄電池が適用可能であるが、ニッケルカドミウム蓄電池等の他の蓄電池であってもよい。ちなみに、鉛蓄電池、ニッケル水素蓄電池は、４０℃程度までの発生熱で制御されており、又リチウムイオン蓄電池は６０℃程度までの発生熱で制御されている。
【００３３】
また、防水手段としては、防水ケース８０以外にも、防水袋、防水シート等でもよく、通常は蓄電池５２を防水性能が確保された状態で覆い、交換時を含むメンテナンス時等の必要時には蓄電池５２を取り出すべく開放させることができる構成であればよい。
【００３４】
さらに、図３（Ｂ）に拡大して示されるように、給気口８２は、軸方向の一方の端部から他方の端部へ向かうにつれて径方向寸法が徐々に減少する筒状に形成されたケーシング８６を備えている。ケーシング８６の基端部（大径部側）には防水カバー８８（図３（Ａ）参照）が設けられていると共に、その近傍には、複数のフィン９０Ａが所定間隔で設けられた防水フィン９０が二列に設けられている。防水フィン９０のフィン９０Ａは、給気口８２の外側へ片流れに傾斜するように取り付けられている。ケーシング８６内の先端部側（小径部側）には、防湿シート９２が張られている。
【００３５】
一方、図３（Ｃ）に示されるように、換気及び除湿ファン８４は、軸方向の一方の端部から他方の端部へ向かうにつれて径方向寸法が徐々に増加する筒状に形成されたケーシング９４を備えている。ケーシング９４内の基端部側（小径部側）には、図示しないファンモータの駆動力を受けて駆動回転するファン９６が設けられている。さらに、ケーシング９４内のファン９６の外側には、給気口８２と同様構成の防湿シート９２及び防水フィン９０が設けられている。また、ケーシング９４の先端部（大径部側）には、防水カバー８８（図３（Ａ）参照）が取り付けられている。
【００３６】
次に、上述した蓄電池５２の発生熱の利用態様について説明する。
【００３７】
図４に示される態様では、蓄電池ユニット４０から得られた排熱を温水配管９８に熱吸収させた後、当該温水配管９８をユニットバス２４の洗い場２８の床３６の下面側に配置し、輻射熱で洗い場２８の床３６を暖める態様である。
【００３８】
一方、図５に示される態様では、温水配管９８の途中に蓄熱材９９が介装されている。この態様では、蓄電池ユニット４０から排熱が発生する時間とユニットバス２４の洗い場２８の床３６を暖めたい時間とがずれている場合に、蓄電池ユニット４０からの排熱を一旦蓄熱材９９に伝達して蓄え、ユニットバス２４の洗い場２８の床３６を暖めたい時間に図示しない制御手段によって蓄熱材９９から温水配管９８に熱を伝達し、暖められた温水配管９８からの輻射熱によってユニットバス２４の洗い場２８の床３６を暖める態様である。
【００３９】
なお、床暖房には温水配管タイプと電熱線タイプとがあり、図４及び図５に示される態様では、いずれも温水配管９８を使ったタイプであったが、これに限らず、電熱線タイプに本発明を適用してもよい。その場合、蓄電池ユニット４０からの排熱は、加温された電熱線が周囲の空気によって冷やされて熱ロスが発生するのを抑制又は防止するために利用される。
【００４０】
（建物用蓄電システム５０のシステム概要）
【００４１】
補足すると、上述した蓄電池５２は、建物用蓄電システム５０のために用いられる。システムの概要について説明すると、図６に示されるように、建物用蓄電システム５０は、蓄電池５２及び制御部５４を備えた蓄電部５６を備えている。制御部５４は、蓄電池５２の温度を蓄電に最適となるように調整すると共に、蓄電池５２への蓄電と放電の切換を制御している。また、蓄電部５６には、商用電力系統電源５８及び太陽電池等の外部独立電源６０がＡＣ線６２を介して接続されている。外部独立電源６０と蓄電部５６とを繋ぐＡＣ線６２上には、直流を交流に変換するインバーター６４が介在されている。
【００４２】
一方、上述した蓄電部５６は、ＤＣ線６６を介してユニット住宅１０内の直流負荷６８に接続されている。また、蓄電部５６はＡＣ線７０を介してユニット住宅１０内とも接続されている。なお、このＡＣ線７０上には直流を交流に変換するインバーター７２が介在されている。さらに、上述した外部独立電源６０は、ＤＣ線７４を介して直流負荷６８と直接接続されている。
【００４３】
建物用蓄電システム５０では、蓄電池５２が商用電力系統５８から受電することにより、或いは図示しない太陽電池等の独立電源６０から受電することにより、或いは燃料電池の余剰電力等から受電することにより、蓄電される。蓄電した電力は必要に応じてユニット住宅１０で使用するエアコン、照明装置、プラグインハイブリッド車、自然冷媒ヒートポンプ給湯器等の負荷に給電される。つまり、この建物用蓄電システム５０は、蓄電池５２を使い、ユニット住宅１０で使用する電気を蓄電及び給電する省エネ技術の一種である。例えば、この建物用蓄電システム５０を用いた場合、昼間はソーラーシステムで得られた電力等を蓄電池５２に蓄えると共に夜間は料金が安い深夜電力を蓄電池５２に蓄え、昼間の料金が高い時間帯に蓄電池５２で蓄電した電力を放電して利用するといった使い方ができる。
【００４４】
（作用・効果）
【００４５】
次に、本実施形態の作用並びに効果について説明する。
【００４６】
本実施形態では、ユニットバス床下デッドスペース３８又は浴槽横デッドスペース４４に蓄電池ユニット４０を収容したので、ユニット住宅１０内のデッドスペースを有効に活用することができる。特に、ユニットバス床下デッドスペース３８や浴槽横デッドスペース４４は、温熱環境が他のデッドスペースに比べて整っているので、蓄電池５２の収納には適している。
【００４７】
ここで、一般に蓄電池５２が蓄電した際に発生する熱は排熱として捨てられるが、本実施形態では、蓄電池ユニット４０で発生した排熱が、ユニットバス２４内で有効に利用される。
【００４８】
すなわち、まず蓄電池ユニット４０を単体でみた場合の作用について説明すると、図示しないコントローラの制御によって図示しないファンモータが作動すると、図３（Ｃ）に示されるように、換気及び除湿ファン８４のファン９６が回転する。これにより、防水ケース８０内の空気が吸引されると共に、給気口８２から蓄電池ユニット４０の外部の空気（ユニットバス床下デッドスペース３８内の空気）が取り込まれる。
【００４９】
このとき、仮に給気口８２側へ水が浸入しようとしても、防水フィン９０にブロックされてケーシング８６の下部を傾斜方向側へ流れて排水される。また、ケーシング８６内に取り込まれた空気の湿分は、防湿シート９２によって取り除かれる。そして、防水ケース８０内で発生した蓄電池５２の発生熱（排熱）は、ファン９６によって換気及び除湿ファン８４のケーシング９４内へ吸い込まれる。吸い込まれた排気は、防湿シート９２で湿分が除去されてから排気される。なお、仮に換気及び除湿ファン８４のケーシング９４側へ水が浸入しようとした場合には、防水フィン９０にブロックされてケーシング９４の下部を傾斜方向側へ流れて排水される。
【００５０】
このようにして、蓄電池ユニット４０のそれぞれについて、蓄電池５２から発生した発生熱（排熱）が蓄電池ユニット４０の外部へ取り出される。そして、各蓄電池ユニット４０から排出された排気は、図１に示されるように、ユニットバス床下デッドスペース３８の隙間４２を通って排気Ｗとして排気される。
【００５１】
上記の如くして集められた排気Ｗは、図４及び図５に示されるように、ユニットバス２４の洗い場２８の床３６を暖める（床暖房）ために温水配管９８若しくは電熱線に供給される。
【００５２】
以上より、本実施形態に係る建物用蓄電システム５０によれば、スペースの有効利用を図りつつ、蓄電池５２の発生熱を有効利用することができる。
【００５３】
また、本実施形態では、蓄電池ユニット４０が防水ケース８０を備えており、この防水ケース８０内に蓄電池５２が納められるので、蓄電池５２が被水することがない。また、防水ケース８０には防湿シート９２を備えた給気口８２及び換気及び除湿ファン８４が設けられているので、防水ケース８０内の空気の湿度が下げられ、蓄電池５２に結露等が生じる心配がない。さらに、換気及び除湿ファン８４による換気作用が得られるので、防水ケース８０内が過度に高温になることを抑制することができる。これらのことから、本実施形態では、蓄電池５２の蓄電性能を良好に維持しつつ、蓄電池５２で発生する排熱を有効に活用するための仕組みが、一つの蓄電池ユニット４０としてコンパクトに形成される。従って、実施形態によれば、蓄電池５２の蓄電性能を良好に維持しつつ、蓄電池５２で発生する排熱を有効利用することができ、しかもコンパクト化を図ることができる。
【００５４】
さらに、本実施形態では、蓄電池ユニット４０で発生した排熱をユニットバス２４の洗い場２８の床３６の暖房に利用する構成としたので、排熱発生源である蓄電池５２から遠い位置まで排熱を運ぶ必要がない。従って、熱損失が少なくて済む。その結果、本実施形態によれば、ユニットバス２４のスペース利用効率を上げると共に、熱損失を少なくして排熱利用効率を上げることができる。
【００５５】
なお、本実施形態では、蓄電池５２の排熱をユニットバス２４の洗い場２８の床３６の暖房に利用したが、これに限らず、洗い場２８の予備暖房等に利用してもよいし、エコキュート等の給湯器における給湯タンクの保温や冷媒管の保温、給湯管の保温等に用いてもよい。
【００５６】
〔第２実施形態〕
次に、図７を用いて、本発明に係る建物用蓄電システムの第２実施形態について説明する。なお、前述した第1実施形態と同一構成部分については、同一番号を付してその説明を省略する。
【００５７】
図７に示されるように、この第２実施形態では、キッチン１００のシンク１０２の下方のデッドスペース１０４に第１実施形態で説明した蓄電池ユニット４０が収納されている点に特徴がある。また、キッチン１００のシンク配設部位の前面下端部には、スリット状の吹出し口１０６が設けられており、この吹出し口１０６の形成エリアと蓄電ユニット４０の前面下部（即ち、換気及び除湿ファン８４からの排気Ａの出口）とはダクト１０８を介して連通されている。
【００５８】
なお、蓄電池ユニット４０が備える給気口８２及び換気及び除湿ファン８４（第１実施形態参照）並びに吹出し口１０６及びダクト１０８が本発明における「排熱供給手段」に相当する。
【００５９】
（作用・効果）
上記構成によっても、前述した第１実施形態と同様の効果が得られる。すなわち、従来、キッチン１００のシンク１０２の下方スペースはデッドスペースとして存在することが多く、このデッドスペース１０４に蓄電ユニット４０を収納させることにより、ユニット住宅１０のデッドスペースの有効利用が図られる。
【００６０】
また、蓄電池ユニット４０で発生した排気Ａは、吹出し口１０６から暖気Ｂとして室内に吹出され、足元暖房として利用される。このように利用することにより、蓄電池ユニット４０から遠い位置まで排熱を運ぶ必要がない。従って、熱損失が少なくて済む。
【００６１】
これらの結果、本実施形態によれば、キッチン１００のスペース利用効率を上げると共に、熱損失を少なくして排熱利用効率を上げることができる。
【００６２】
なお、キッチン１００での排熱の利用の仕方は、上記に限られず、他の利用方法であってもよい。例えば、蓄電池ユニット４０で発生した排気を食器乾燥機に導いて乾燥速度を上げるようにしてもよい。
【００６３】
〔第３実施形態〕
次に、図８〜図１０を用いて、本発明に係る建物用蓄電システムの第３実施形態について説明する。なお、前述した第1実施形態等と同一構成部分については、同一番号を付してその説明を省略する。
【００６４】
図８及び図９に示されるように、この第３実施形態では、全館空調システム１１０を備えたユニット建物１１２の地階１１４に第１実施形態で説明した蓄電池ユニット４０が収納されている点に特徴がある。
【００６５】
具体的に説明すると、ユニット建物１１２は、一例として、地階１１４と一階部分１１６と二階部分１１８とを備えている。一階部分１１６の天井裏スペース１２０には室内空調機１２４が配設されており、又二階部分１１８の天井裏スペース１２２には室内空調機１２５がそれぞれ配設されている。なお、図８及び図９では、全館空調システム１１０を構成するための他の要素である室外機や室内給排気口、屋外給排気口等の図示は省略している。また、この実施形態における地階１１４は居室として用いられているスペースではなく、設備機器等が収容されたデッドスペースとして用いられている。
【００６６】
ここで、上述した地階１１４には、第１実施形態で説明した蓄電池ユニット４０が配設されている。また、地階１１４と一階部分１１６の天井裏スペース１２０、二階部分１１８の天井裏スペース１２２とは、空調ダクト１２６を介して相互に連通されている。空調ダクト１２６における地階１１４との連通部分が、地階１１４の空気を供給する給気口１２８とされている。給気口１２８には、図示しないコントローラによって開閉制御されるダンパ１３０が取り付けられている。さらに、地階１１４はユニット建物１１２の外部である地表１３２と排気路１３４を介して相互に連通されている。
【００６７】
なお、蓄電池ユニット４０が備える給気口８２及び換気及び除湿ファン８４（第１実施形態参照）並びに空調ダクト１２６が本発明における「排熱供給手段」に相当する。
【００６８】
（作用・効果）
冬季には、図８図示状態とされる。この状態のときには、図示しないコントローラによってダンパ１３０が開放状態とされる。この状態において、蓄電池５２の作用によって発生した排熱は蓄電池ユニット４０から排気されて地階１１４内に送られる。この暖気は、空調ダクト１２６を通って一階部分１１６の室内空調機１２４及び二階部分１１８の室内空調機１２５へそれぞれ供給されて、当該室内空調機１２４、１２５から一階部分１１６及び二階部分１１８へ吹出される。なお、蓄電池ユニット４０から発生したガスは、排気路１３４から排気される。
【００６９】
一方、夏季には、図９図示状態とされる。この状態のときには、図示しないコントローラによってダンパ１３０が閉止状態とされる。この状態において、蓄電池５２の作用によって排熱が発生すると、その排熱はガスと共に排気路１３４を通って地表１３２へ排気される。
【００７０】
なお、上記作用では、全館空調システム１１０において、主に冬季と夏季における蓄電池ユニット４０から発生した排気（暖気）の流れを中心に説明したが、全換気は必要に応じて組み合わせて使用すればよい。
【００７１】
このように本実施形態においても、地階１１４に蓄電池ユニット４０を収容することとしたので、ユニット建物１１２のデッドスペースを有効に利用することができる。なお、一般に地階１１４は温度変化が少ないので、蓄電池ユニット４０を収容するための温熱環境は他のスペースに比べて適している。
【００７２】
また、蓄電池ユニット４０から排出された排気を全館空調ダクト１２６の空調ダクト１２６内に供給して暖房として利用することとしたので、蓄電池ユニット４０から発生した排熱の熱損失が極力ない状態で、暖気の生成に利用することができる。その結果、蓄電池５２の排熱から供給される熱量に相当する分、全館空調システム１１０を稼動させるために本来要求される負荷が軽減され、ひいては省エネ化を促進することができる。
【００７３】
なお、図８及び図９と異なる配置として図１０に示される配置を採ることも可能である。図１０に示される実施形態では、小屋裏スペース１４０に蓄電池ユニット４０が収容されている。また、小屋裏スペース１４０には、全館空調システム１４２の室内空調機１４４が配設されている。室内空調機１４４と蓄電池ユニット４０とはリターンチャンバ１４６を介して連通されている。さらに、天井面には、給気口１４８とリターンガラリ１５０が設けられている。なお、この構成では、リターンチャンバ１４２が本発明における「排熱供給手段」に相当する。
【００７４】
この構成によれば、全館空調システム１４２自体は、室内の空気をリターンガラリ１５０を介して吸い込み、リターンチャンバ１４６及び室内空調機１４４を介して給気口１４８から暖気を吹出すようになっている。
【００７５】
ここで、この実施形態では、リターンチャンバ１４６の上流側に蓄電池ユニット４０を配置したので、リターンガラリ１５０から吸い込んだ空気に蓄電池ユニット４０で発生した排熱が加わって暖気となり、その後、リターンチャンバ、室内空調機１４４へ供給される。従って、蓄電池ユニット４０で発生した排熱の熱損失が非常に少なく、室内空調機１４４ひいては全館空調システム１４２に対する負荷を効果的に減らすことができる。
【００７６】
なお、上述した各実施形態では、ユニット住宅又はユニット建物を例にして説明したが、これに限らず、ユニット工法以外の工法によって建築される建物に対して本発明を適用してもよい。
【図面の簡単な説明】
【００７７】
【図１】第１実施形態に係る建物用蓄電システムの蓄電池ユニットをユニットバスに設置した状態を示す縦断面図である。
【図２】図１に示されるユニットバスを備えたユニット住宅の概略構成を示す概略正面図である。
【図３】（Ａ）は蓄電池ユニットの全体構成を示す概略図、（Ｂ）は給気口の拡大断面図、（Ｃ）は換気及び除湿ファンの拡大断面図である。
【図４】ユニットバスでの排熱利用例を示す概略構成図である。
【図５】ユニットバスでの他の排熱利用例を示す概略構成図である。
【図６】第１実施形態に係る建物用蓄電システムの全体構成を示す概略構成図である。
【図７】第２実施形態に係る建物用蓄電システムの蓄電池ユニットをキッチンのシンク下方に設置した状態を示す斜視図である。
【図８】第３実施形態に係り、全館空調システムの冬季での使用状態を示す概略構成図である。
【図９】第３実施形態に係り、全館空調システムの夏季での使用状態を示す概略構成図である。
【図１０】第３実施形態の変形例を示す概略構成図である。
【符号の説明】
【００７８】
１０      ユニット住宅（建物）
２２      ユニットバス
３８      ユニットバス床下デッドスペース
４０      蓄電池ユニット
４４      浴槽横デッドスペース
５０      建物用蓄電システム
５２      蓄電池
８０      防水ケース（防水手段）
８２      給気口（換気及び除湿収容、排熱供給手段）
８４      換気及び除湿ファン（換気及び除湿手段、排熱供給手段）
１００    キッチン
１０２    シンク
１０４    デッドスペース
１０６    吹出し口（排熱供給手段）
１０８    ダクト（排熱供給手段）
１１０    全館空調システム
１１２    ユニット建物
１１４    地階（デッドスペース）
１２６    空調ダクト（排熱供給手段）
１２８    給気口
１４０    小屋裏スペース（デッドスペース）
１４２    全館空調システム
１４６    リターンチャンバ（排熱供給手段）
【図１】
2010140753.tif 000003
【図２】
2010140753.tif 000004
【図３】
2010140753.tif 000005
【図４】
2010140753.tif 000006
【図５】
2010140753.tif 000007
【図６】
2010140753.tif 000008
【図７】
2010140753.tif 000009
【図８】
2010140753.tif 000010
【図９】
2010140753.tif 000011
【図１０】
2010140753.tif 000012